(57)【要約】【課題】セキュリティを向上させる情報処理装置、プログラム、及びロック制御方法を提供することを課題とする。【解決手段】実施形態の電子機器は表示部と、タッチパネルと、ロック制御手段と、ロック解除画面表示制御手段と、を具備する。タッチパネルは、表示部上に設けられる。ロック制御手段は、電子機器をロック状態に移行させるロック制御手段であって、前記タッチパネルへの所定位置へのタッチ入力を検出すると前記ロック状態を解除する。ロック解除画面表示制御手段は、前記ロック状態解除のためのタッチ入力の位置の基準となる画像を作成し、前記表示部に表示させるロック解除画面表示制御手段であって、第１の表示タイミングと、第２の表示タイミングとで前記タッチ入力の位置の基準となる画像の表示態様を異ならせる。【選択図】図５
2014071772.tif 000002
【特許請求の範囲】
【請求項１】
表示部と、
前記表示部上に設けられたタッチパネルと、
電子機器をロック状態に移行させるロック制御手段であって、前記タッチパネルへの所定位置へのタッチ入力を検出すると前記ロック状態を解除するロック制御手段と、
前記ロック状態解除のためのタッチ入力の位置の基準となる画像を作成し、前記表示部に表示させるロック解除画面表示制御手段であって、第１の表示タイミングと、第２の表示タイミングとで前記タッチ入力の位置の基準となる画像の表示態様を異ならせるロック解除画面表示制御手段と
を具備する電子機器。
【請求項２】
前記ロック解除画面表示制御手段は、前記第１の表示タイミングと、前記第２の表示タイミングとで前記タッチ入力の位置の基準となる画像の位置を異ならせる請求項１記載の電子機器。
【請求項３】
前記ロック解除表示制御手段は、前記第１の表示タイミングと、前記第２の表示タイミングとで前記タッチ入力の位置の基準となる画像と、前記表示部に表示される他のオブジェクトとの位置を異ならせる請求項１記載の電子機器。
【請求項４】
前記ロック解除画面表示制御手段は、前記第１の表示タイミングと、前記第２の表示タイミングとで前記タッチ入力の位置の基準となる画像の大きさを異ならせる請求項１記載の電子機器。
【請求項５】
前記ロック解除画面表示制御手段は、前記第１の表示タイミングと、前記第２の表示タイミングとで前記タッチ入力の位置の基準となる画像の角度を異ならせる請求項１記載の電子機器。
【請求項６】
前記ロック解除画面表示制御手段は、前記第１の表示タイミングと、前記第２の表示タイミングとで前記タッチ入力の位置の基準となる画像の形状を異ならせる請求項１記載の電子機器。
【請求項７】
前記ロック解除画面表示制御手段は、前記第１の表示タイミングと、前記第２の表示タイミングとで前記タッチ入力の位置の基準となる画像の位置、大きさ、角度、及び形状のうち少なくともいずれか二つを異ならせる請求項１記載の電子機器。
【請求項８】
電子機器の姿勢を検出する検出手段を更に具備し、
前記ロック解除画面表示制御手段は、前記第１の表示タイミングと、前記第２の表示タイミングとで前記タッチ入力の位置の基準となる画像の表示態様を、前記検出手段の検出結果に基づいて異ならせる請求項１記載の電子機器。
【請求項９】
表示部と、前記表示部上に設けられたタッチパネルとが設けられた電子機器において実行されるプログラムであって、
前記電子機器をロック状態に移行させ、
前記タッチパネルへの所定位置へのタッチ入力を検出すると前記ロック状態を解除し、
前記ロック状態解除のためのタッチ入力の位置の基準となる画像を作成し、前記表示部に表示させるプログラムであって、
第１の表示タイミングと、第２の表示タイミングとで前記タッチ入力の位置の基準となる画像の表示態様を異ならせるプログラム。
【請求項１０】
電子機器をロック状態に移行させ、
前記ロック状態解除のためのタッチパネルへのタッチ入力の位置の基準となる画像を作成し、表示部に表示し、
第１の表示タイミングと、第２の表示タイミングとで前記タッチ入力の位置の基準となる画像の表示態様を異ならせ、
前記タッチパネルへの所定位置へのタッチ入力を検出すると前記ロック状態を解除するロック制御方法。
【発明の詳細な説明】
【技術分野】
【０００１】
本発明の実施形態は、電子機器、プログラム、及びロック制御方法に関する。
【背景技術】
【０００２】
近年、タッチパネルによるユーザインターフェースが増加しており、タッチパネルを用いた機器では、ロック解除のためのロック解除画面を画面に表示し、ユーザに指で所定の軌跡をなぞらせる／所定の位置をタッチさせることでロックを解除するロック解除制御が多く適用されている。
【０００３】
しかし、上記ロック解除制御を行う場合、タッチパネルに指紋の跡が残ってしまう場合があり、この指紋の跡からロック解除のためのタッチ位置や軌跡が他のユーザに分かってしまう可能性があった。
【先行技術文献】
【特許文献】
【０００４】
【特許文献１】特開２０１１−２３２８９８号公報
【発明の概要】
【発明が解決しようとする課題】
【０００５】
本発明は上記に鑑みてなされたものであり、セキュリティを向上させる電子機器、プログラム、及びロック制御方法を提供することを課題とする。
【課題を解決するための手段】
【０００６】
実施形態の電子機器は表示部と、タッチパネルと、ロック制御手段と、ロック解除画面表示制御手段と、を具備する。タッチパネルは、表示部上に設けられる。ロック制御手段は、電子機器をロック状態に移行させるロック制御手段であって、前記タッチパネルへの所定位置へのタッチ入力を検出すると前記ロック状態を解除する。ロック解除画面表示制御手段は、前記ロック状態解除のためのタッチ入力の位置の基準となる画像を作成し、前記表示部に表示させるロック解除画面表示制御手段であって、第１の表示タイミングと、第２の表示タイミングとで前記タッチ入力の位置の基準となる画像の表示態様を異ならせる。
【図面の簡単な説明】
【０００７】
【図１】実施形態における電子機器の外観の一例を示す斜視図。
【図２】実施形態における電子機器のシステム構成の一例を示すブロック図。
【図３】実施形態における機能構成の一例を示すブロック図。
【図４】実施形態におけるロック解除処理の一例を示す概念図。
【図５】実施形態におけるロック解除画面の例を示す概念図。
【図６】実施形態におけるロック解除画面の例を示す概念図。
【図７】実施形態におけるロック解除画面の例を示す概念図。
【図８】実施形態におけるロック解除画面の例を示す概念図。
【図９】実施形態におけるロック解除入力設定処理の一例を示すフロー図。
【図１０】実施形態におけるロック解除処理の一例を示すフロー図。
【発明を実施するための形態】
【０００８】
以下、図面を参照して、実施の形態を説明する。
【０００９】
図１は、本実施形態における電子機器の外観の一例を示す斜視図である。
【００１０】
本実施形態の電子機器は、携帯型の電子機器であり、例えば、タブレットコンピュータ１０から実現されている。また、この電子機器は、ノートブック型のパーソナルコンピュータ、スマートフォン、ＰＤＡ等として実現してもよい。また、ＤＴＶ（Digital Television）等として実現されてもよい。
【００１１】
タブレットコンピュータ１０は、コンピュータ本体１と、タッチスクリーンディスプレイ１７とを有する。コンピュータ本体１は薄い箱形の筐体を有している。タッチスクリーンディスプレイ１７はコンピュータ本体１の表面上に配置される。タッチスクリーンディスプレイ１７は、フラットパネルディスプレイ（たとえば、液晶表示装置（ＬＣＤ：Liquid Crystal Display））と、タッチパネルとを備える。タッチパネルは、フラットパネルディスプレイの画面を覆うように設けられる。タッチパネルは、ユーザの指またはペンによってタッチされたタッチスクリーンディスプレイ１７上の位置（座標）を検出するように構成されている。
【００１２】
次に、図２を参照し、本実施形態における電子機器のシステム構成の概要について説明する。
【００１３】
図２は本実施形態における電子機器のシステム構成の一例を示すブロック図である。
【００１４】
タブレットコンピュータ１０は、中央処理装置（ＣＰＵ）１０１、システムコントローラ１０２、主メモリ１０３、グラフィクスコントローラ（ＧＰＵ）１０５、サウンドコントローラ１０６、ＢＩＯＳ−ＲＯＭ１０７、ソリッドステートドライブ（ＳＳＤ）１０９、無線ＬＡＮコントローラ１１２、エンベデッドコントローラ（ＥＣ）１１３、ＥＥＰＲＯＭ１１４、ＵＳＢコネクタ１３、タッチスクリーンディスプレイ１７、ビデオメモリ（ＶＲＡＭ）１０５Ａ、加速度センサ２０５等を備える。
【００１５】
ＣＰＵ１０１は、タブレットコンピュータ１０内の各部の動作を制御するプロセッサである。ＣＰＵ１０１は、ＳＳＤ１０９から主メモリ１０３にロードされるオペレーティングシステム（ＯＳ）２１及び各種アプリケーションプログラムを実行する。アプリケーションプログラムには、ロックユーティリティプログラム２２が含まれている。なお、ロックユーティリティプログラム２２は、ＯＳ２１に含まれるプログラムであってもよい。
【００１６】
また、ＣＰＵ１０１は、ＢＩＯＳ−ＲＯＭ１０７に格納されたＢＩＯＳ（basic input/output system）も実行する。ＢＩＯＳは、ハードウェア制御のためのプログラムである。
【００１７】
システムコントローラ１０２は、ＣＰＵ１０１のローカルバスと、ＰＣＩ（Peripheral Component Interconnect）バス上の各デバイス及びＬＰＣ（Low Pin Count）バス上の各デバイスと、の間を接続するブリッジデバイスである。また、システムコントローラ１０２は、ＳＳＤ１０９を制御するためのＩＤＥ（Integrated Drive Electronics）コントローラを内蔵している。さらに、システムコントローラ１０２は、サウンドコントローラ１０６との通信を実行する機能も有している。さらに、システムコントローラ１０２は、ＰＣＩ ＥＸＰＲＥＳＳ規格のシリアルバスなどを介してＧＰＵ１０５との通信を実行する機能も有している。
【００１８】
ＧＰＵ１０５は、タブレットコンピュータ１０のディスプレイモニタとして使用されるＬＣＤ１７Ａを制御する表示コントローラである。このＧＰＵ１０５によって生成される映像信号（表示信号ともいう）はＬＣＤ１７Ａに送られる。
【００１９】
サウンドコントローラ１０６は音源デバイスであり、再生対象のオーディオデータをスピーカ１８Ａ及びスピーカ１８Ｂに出力する。無線ＬＡＮコントローラ１１２は、例えばＩＥＥＥ ８０２．１１規格の無線通信を実行する無線通信デバイスである。
【００２０】
ＥＣ１１３は、電力管理のためのエンベデッドコントローラである。ＥＣ１１３は、ユーザの操作に応じてタブレットコンピュータ１０を電源オン／電源オフする機能を有している。電源回路１２１は、タブレットコンピュータ１０内のバッテリ１２２から供給される電力、またはＡＣアダプタ１２３のような外部電源から供給される電力を用いて、タブレットコンピュータ１０の各コンポーネントに供給すべき動作電力を生成する。また、電源回路１２１は、外部電源から供給される電力を用いてバッテリ１２２の充電も行う。
【００２１】
タッチスクリーンディスプレイ１７には、ＬＣＤ１７Ａのほか、タッチパネル１７Ｂが組み込まれている。ＬＣＤ１７Ａに重ね合わせて配置されるタッチパネル１７Ｂは、センサやＭＣＵ（Micro controller unit）等を有している。タッチパネル１７Ｂ上でタッチ操作が行われると、そのタッチされた位置がセンサによって検出され、当該タッチパネル１７Ｂ上のタッチされた位置（座標）を含む入力情報がＭＣＵによって出力される。
【００２２】
ビデオメモリ（ＶＲＡＭ）１０５Ａは、グラフィックスコントローラ１０５と接続されている。ビデオメモリ（ＶＲＡＭ）１０５Ａは、例えば、外部ディスプレイやＬＣＤ１７Ａに表示される画面イメージに対応する画面イメージデータを記憶する。
【００２３】
加速度センサ２０５は、加速度を検出することのできるセンサモジュールであり、重力加速度を検出することでタブレットコンピュータ１０の本体１の姿勢を検出することができる。ここでの姿勢の検出とは、本体１が縦方向を向いているか（本体１の長手方向が垂直方向を向いているか）、横方向を向いているか（本体１の長手方向が水平方向を向いているか）、本体１が垂直方向に対してどの程度傾いているかを検出することを含む。
【００２４】
図３は、本実施形態における機能構成の一例を示すブロック図である。
【００２５】
ロック制御部３１は、ロック機能全体を制御する機能を有している。ロック制御部３１は、例えばユーザから一定時間入力操作が行われなければ、タブレットコンピュータ１０のロック処理を実行する。ロック処理とは予め決められた所定操作入力を行わない限り、タブレットコンピュータ１０の大半の機能を機能させないようにする処理であり、ロックの解除がなされない間（ロック状態の間）は、ロック解除のための画面を表示する。本実施形態ではタブレットコンピュータ１０がロックされているときユーザは、所定の軌跡をなぞる、または所定の位置をタッチすることで、ロックの解除を行うことができる。ロックの解除が行われると、タブレットコンピュータ１０にホーム画面（タブレットコンピュータ１０の通常動作のための画面）が表示され、ユーザはタブレットコンピュータ１０のほぼ全ての機能を実行することができるようになる。
【００２６】
ロック画面作成部３２は、ロック解除のための画面（以下、ロック解除画面とも呼ぶ）やロック解除入力設定処理のための画像を作成する機能を有している。ロック解除画面は、ロック制御部３１がレイアウトを決定し、これに基づいてロック画面作成部３２によって作成される。タブレットコンピュータ１０はロック解除のための画面を表示し、ユーザはこの画面に基づいて、タッチパネル１７Ｂの画面の所定の位置に対してなぞる／タッチ操作を行うことによって、ロックを解除することができる。本実施形態では、ロック解除画面の表示態様はランダムに変更される（第１の表示タイミングと、第２の表示タイミングとで前記タッチ入力の位置の基準となる画像の表示態様を異ならせる）。
【００２７】
ロック画面作成部３２によってロック解除画面がＬＣＤ１７Ａに表示されると、ユーザは表示に基づいて、ロック解除のための操作入力を行う。このとき、タッチパネル１７Ｂはユーザがタッチした位置（座標）を検出し、ロック制御部３１がこのタッチした位置がロック解除のための所定位置と合致するか（対応するか／略一致するか）否かを判別する。タッチした位置がロック解除のための所定位置（座標）と合致する場合には、ロック制御部３１はタブレットコンピュータ１０のロックを解除し、タブレットコンピュータ１０にはホーム画面が表示される。
【００２８】
このロック制御部３１及びロック画面作成部３２は合わせて、ロック制御手段およびロック解除画面表示制御手段として機能する。
【００２９】
次に、タブレットコンピュータ１０に表示されるロック解除画面について説明する。
【００３０】
図４は、本実施形態におけるロック解除処理の一例を示す概念図である。
【００３１】
図４には、デフォルト（初期値）のロック解除画面が表示されている。タッチスクリーンディスプレイ１７のＬＣＤ１７Ａに表示されたロック解除画面４１には、ロック解除パターン４２及び時刻表示４３が含まれている。
【００３２】
ロック解除パターン４２（ロック解除模様）は、ロック解除のタッチ入力を行うための基準（指標）となる表示であり、以後ロック解除入力基準画像とも呼ぶ。
【００３３】
ロック制御部３１によって、タブレットコンピュータ１０がロックされると（ロック状態に以降すると）、ＬＣＤ１７Ａにはロック解除画面４１が表示される。ユーザはロック状態において、ロック解除パターン４２に基づいて、ロック解除パターン４２上の予め決められた軌跡でなぞることによってタブレットコンピュータ１０のロックを解除することができる（例えば図４Ｂ中の破線の軌跡）。この予め決められた軌跡はロック設定時にユーザによって設定することが可能である。
【００３４】
本実施形態におけるタブレットコンピュータ１０は、このロック解除画面４１の表示パターンを複数設定することができ、ランダムに表示させることができる。以下、図５乃至図８ではロック解除画面の様々な表示例を挙げる。
【００３５】
図５乃至図８は、本実施形態におけるロック解除画面の例を示す概念図である。
【００３６】
図５Ａは、デフォルト表示時のロック解除画面４１を示す図である。図５Ａではタブレットは横向きであり、ＬＣＤ１７Ａの画面右側に所定の大きさのロック解除パターン４２が表示されており、画面左側に時刻表示４３が表示されている。
【００３７】
図５Ｂは、デフォルト表示よりもロック解除パターン４２の表示が小さい場合のロック解除画面５１を示す図である。図５Ｂのロック解除パターン５２はデフォルト表示のロック解除パターン４２より小さく表示されるため、ロック解除のためにユーザがタッチする軌跡（タッチ箇所）は、デフォルト表示の場合の軌跡と異なる。これによって、デフォルト表示の場合と同じ軌跡をタッチしたとしても、タブレットコンピュータ１０のロック状態は解除されないため、デフォルト表示時にユーザ操作によってついてしまったタッチスクリーンディスプレイ１７上の指紋の跡を他のユーザがタッチしたとしてもロック解除がなされることは無く、セキュリティ能力が向上する。
【００３８】
図５Ｃは、デフォルト表示とロック解除パターン４２の表示位置が異なっている場合のロック解除画面５４を示す図である。図５Ｃでは、ＬＣＤ１７Ａの画面左側にロック解除パターン５５が表示されており、画面右側に時刻表示５６が表示されている。このように、ロック解除パターン５５の位置大きさ等を変更する場合に、ロック解除パターン５５以外の領域に表示されている他の表示（例えば時刻表示）の位置大きさ等を、ロック解除パターン５５の表示に基づいて変更するとしてもよい。
【００３９】
図６Ａは、ロック解除パターン６２の一部が他の部分と異なる態様で表示されている場合のロック解除画面６１を示す図である。図６Ａでは、ロック解除パターン６２の９つの点のうち、左上の点が他の点とは異なった色で表示されている。この場合、ロック解除パターンが中心についての点対称の画像で無くなるため、ユーザはロック解除パターンの上下左右を認識しやすい。このように、ユーザに上下左右を認識させやすくするためには、画像を中心についての非点対象の図形にすればよい。本実施形態では、左上の点のみを異なる色によって表示しているがこれに限定されず、色を変える点を複数にしてもよい。また、例えば円形ではなく星型等の異なる図形にて点を表示するとしてもよい。
【００４０】
図６Ｂは、デフォルト表示とロック解除パターン６５の表示されている角度が異なっている場合のロック解除画面６４を示す図である。図６Ｂのロック解除パターン６５はデフォルト表示より表示が傾いている。ここでは、ロック解除パターン６５は一部の点が他の点とは識別可能に表示されているため、傾いていても（角度が異なっていても／回転していても）ユーザはロック解除パターン６５の上下左右を認識することが容易となる。
【００４１】
図６Ｃは、タブレットコンピュータ１０を縦にして利用している場合のロック解除画面６７を示す図である。ロック解除画面６７では、ＬＣＤ１７Ａの画面下側にロック解除パターン６８が表示されており、画面上側に時刻表示６９が表示されている。ロック制御部３１は、加速度センサ２０５が加速度検出結果に基づいて、タブレットコンピュータ１０が縦向き（筐体長手方向が上向き）の姿勢であることを検出すると、ロック解除画面６７のようにＬＣＤ１７Ａの画面下側にロック解除パターン６８を表示し、画面上側に時刻表示５９を表示する。この場合も、図５Ｃのように、ロック解除パターン６８と時刻表示６９の位置とを入れ替えて表示してもよい。また、図６Ｃにおいても、ロック解除パターン６８は一部の点が他の点とは識別可能に表示されているため、ユーザはロック解除パターン６８の上下左右方向を認識し易い。また、図６Ｃのようにタブレットコンピュータ１０の向きによって、ロック解除パターン６８の表示の向きを変更することで横向きの場合と同じ位置にロック解除パターン６８が表示されたとしてもロック解除のためにタッチする軌跡が異なり、他のユーザに指紋の跡によるロック解除の軌跡の推定はより困難となる。
【００４２】
図７Ａは、デフォルト表示とロック解除パターン７２の形状が異なっている場合のロック解除画面７１を示す図である。図７Ａではデフォルト表示と比較して、ロック解除パターン７１のそれぞれの点同士の横方向の間隔が広くなっている。このように、形状を変えても、指紋の跡からのロック解除のための軌跡の推測は難しくなる。
【００４３】
図７Ｂは、デフォルト表示とロック解除パターン７５の形状が異なっている場合のロック解除画面７４を示す図である。図７Ｂでは、タブレットコンピュータ１０の姿勢によってロック解除パターン７５の形状が変わる例を示している。例えば、タブレットコンピュータ１０がＬＣＤ１７Ａを上向きにして、机の上のような水平な位置に置かれている状態から画面の上の方だけを持ち上げ、画面が傾いた状態にある場合に、ロック解除画面７４は図７Ａのようにロック解除パターン７５を表示する。表示の変更の流れを順に説明すると、最初にタブレットコンピュータ１０が水平な状態で置かれているときには、図５Ａのようなデフォルトのロック解除パターンが表示される。その後、タブレットコンピュータ１０が画面上のほうだけを持ち上げられ、姿勢が水平方向に対して斜めの状態になると、ロック解除パターン７５は上に行くほど点は小さく、横方向の互いの間隔が狭くなる。これは、最初に水平に並べられていたロック解除パターンがそのままの立体的位置を維持し、これを斜めになったタブレットの縁越しに見ているようにユーザに感じさせる表示である。つまり、タブレットコンピュータ１０は加速度センサ２０５によって、自装置の姿勢を検出し、これに基づいてロック解除パターン（またはロック解除画面）の表示を変更する。こうすることで、タブレットコンピュータ１０の姿勢によっても、ロック解除画面の表示は変更され、ユーザは自然と様々な軌跡のロック解除入力を行い、セキュリティが向上する。
【００４４】
図７Ｃは、デフォルト表示とロック解除パターン７８の形状が異なっている場合のロック解除画面７７を示す図である。図７Ｃのロック解除パターン７８は、それぞれの点がユーザに対してデフォルトにおけるロック解除パターンのどの点に対応するかを認識可能な程度に、形を崩して表示されている。
【００４５】
図８Ａは、ロック解除パターンではなくロック解除ピクチャ８２が表示されるロック解除画面８１を示す図である。これまでは、ロック解除のタッチ入力を行うための基準（指標）となる表示であるロック解除入力基準画像の例として所定のパターン（模様）の画像を用いる場合を説明したが、ここでは、所定のピクチャ（画像）を用いる場合を説明する。ロック解除画面８１にはロック解除パターン８２及び時刻表示８３が含まれており、ユーザはロック解除ピクチャ８２上の所定軌跡（位置）を指でなぞることで、ロック状態を解除することができる（例えば図８Ａ中の破線の軌跡）。この軌跡はロック設定時にユーザによって設定することが可能である。
【００４６】
図８Ｂは、全画面表示でないロック解除ピクチャ８５が表示されるロック解除画面８４を示す図である。図８Ｂではロック解除ピクチャ８５は図８Ａのロック解除ピクチャ８２と大きさ及び中心の位置が異なっており、ユーザがロック解除する場合にタッチする軌跡も図８Ａのロック解除画像８１での軌跡と異なったものとなる。これによりセキュリティが向上する。
【００４７】
ここまで、ロック解除のタッチ入力を行うための基準（指標）となる表示であるロック解除入力基準画像のロック解除パターン、ロック解除ピクチャ８２の表示方法について様々な例を説明してきたが、上述の例以外の表示の変更によって、ユーザのタッチの軌跡を毎回異ならせるようにしてもよい。また、これらを組み合わせることによって表示を行ってもよい。例えば、デフォルトのロック解除パターンから位置、サイズ、傾き（角度）、形状をそれぞれ異ならせてロック解除パターンを表示するとしてもよいし、タブレットコンピュータ１０の姿勢に基づいて、ロック解除パターンの位置、サイズ傾き、形状等のそれぞれを変更してもよい。
【００４８】
次にタブレットコンピュータ１０の実行する処理について説明を行う。
【００４９】
図９は、本実施形態におけるロック解除入力設定処理の一例を示すフロー図である。
【００５０】
まず、ロック制御部３１がロック解除のためにユーザがタッチパッド１７Ｂのタッチする軌跡（位置／座標）を設定するための画面の作成をロック画面作成部３２に指示し、ロック画面作成部３２がロック解除のための軌跡入力画面（ロック解除入力設定画面）を表示する（ステップＳ９１）。このロック解除入力設定画面はデフォルトのロック解除画面とほぼ同様であり、「ロック解除の軌跡を入力してください」という表示がさらに追加された画面であってもよい。
【００５１】
次に、タッチパネル１７Ｂがユーザの入力座標（ユーザがなぞった軌跡／位置の座標）を検出し（ステップＳ９２）、この座標情報をロック制御部３１に送信する。
【００５２】
入力座標を受信したロック制御部３１は、入力された座標の軌跡または、入力された座標の一部もしくは全ての位置を記憶し、これをロック解除入力座標として登録する（ステップＳ９３）。
【００５３】
次に、ロック制御部３１がロック画面作成部３２に指示して、ロック解除入力設定が完了した旨を示す画面であるロック解除入力設定完了画面を表示し（ステップＳ９４）、ロック解除入力の設定処理は終了となる。
【００５４】
ロック制御部３１は、ロック解除入力座標としてユーザがなぞった軌跡を連続的に記憶してもよいし、断続的に記憶するとしてもよい。断続的に記憶する場合には、例えば、この座標をロック解除パターンの点の座標で記憶するとしてもよい（例えば、真ん中→右→右上→・・・等）。
【００５５】
次にロック解除処理について説明を行う。
【００５６】
図１０は、本実施形態におけるロック解除処理の一例を示すフロー図である。
【００５７】
ロック制御部３１が、タブレットコンピュータ１０をロック状態に移行させた後に、例えばパワーボタン１４の押下等により、ユーザからロック解除処理開始指示を受け付けると（ステップＳ１０１）、ロック制御部３１は、ロック解除入力基準画像（ロック解除パターンまたはロック解除ピクチャ）を表示する位置／大きさ／角度／形状をランダムに決定する（ステップＳ１０２）。ここでは、位置／大きさ／角度／形状のそれぞれの項目について乱数等を用いランダムな組み合わせでロック解除入力基準画像の表示態様を決定するとしてもよい。また、加速度センサ２０５による本体１の姿勢の検出結果に基づいて、図６Ｃまたは図７Ｂ、またはこれらの組み合わせによってロック解除入力基準画像を決定してもよい。また、ロック制御部３１は、ロック解除入力基準画像（ロック解除パターンまたはロック解除ピクチャ）の表示態様と共に、時刻表示の表示態様（表示する位置／大きさ／角度／形状）も決定し、ロック解除画面全体の表示態様も決定する。
【００５８】
ロック制御部３１が、ロック解除画面全体の表示態様を決定すると、ロック画面作成部３２はこれに基づいて、ロック解除画面をＬＣＤ１７Ａに表示させる（ステップＳ１０３）。
【００５９】
次に、タッチパネル１７Ｂがユーザのタッチ入力を検出すると（ステップＳ１０４）、ロック制御部３１は入力された座標が記憶（登録）された座標と一致す（略一致）るか否かを判別する（ステップＳ１０５）。このとき、表示の態様が変更されているので、入力された座標そのままを記憶した座標と比較してしまうと、正しくロックが解除されない。ロック制御部３１はロック解除入力基準画像の態様に基づいて入力されるべき座標を算出し（変換し）、算出後の座標に基づいて、入力された座標がこの座標と一致しているか否か判別を行う。
【００６０】
ステップＳ１０５において入力された座標が記憶された座標（変換された座標）と一致しない場合（ステップＳ１０５：Ｎｏ）、ロック制御部３１は座標が一致しなかったためロックを解除できない旨を示す表示をロック画面作成部３２に作成、表示させる（ステップＳ１０６）。
【００６１】
ステップＳ１０５において入力された座標が記憶された座標（変換された座標）と一致した場合（ステップＳ１０５：Ｙｅｓ）、ロック制御部３１はタブレットコンピュータ１０のロックを解除し、タブレットコンピュータ１０の画面はホーム画面へと移行する（ステップＳ１０７）。この際、ロック制御部３１はホーム画面に移行する前にロック解除に成功できた旨の表示を行うとしてもよい。
【００６２】
本実施形態のタブレットコンピュータ１０では、ロック解除のためのタッチ入力の基準となる画像が変更され、これに伴い入力されるべき座標も変換されるため、タブレットの画面に残ってしまったユーザの指紋の跡をたどって他のユーザがロック解除入力を行ったとしても、ロックが解除されず、他のユーザによってロックが破られてしまう可能性が低減する。つまり、タブレットコンピュータ１０のセキュリティ能力は向上する。
【００６３】
また、指紋跡によるロック看破に対応するためには、ユーザがこまめにロック解除のための入力を変更する必要があるが、本実施形態のタブレットコンピュータ１０だと表示が自動的に変更され、ユーザの変更の手間を低減することができる。
【００６４】
上記実施形態では、ユーザが画面をなぞり、この軌跡によってロック解除成否を判断したが、これに限定されず、例えば複数の所定位置のタッチによってロックを解除できる構成であってもよい。この場合にも、ユーザの指紋の跡は画面についてしまうため、上記実施形態と同様の効果が期待できる。
【００６５】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【００６６】
１…本体、１０…タブレットコンピュータ、１４…パワーボタン、１７…タッチスクリーンディスプレイ、１７Ａ…ＬＣＤ、１７Ｂ…タッチパネル、１８Ａ、Ｂ…スピーカ、１０１…ＣＰＵ、１０２…システムコントローラ、１０３…主メモリ、１０５…ＧＰＵ、１０５Ａ…ＶＲＡＭ、１０６…サウンドコントローラ、１０７…ＢＩＯＳ−ＲＯＭ、１０９…ＳＳＤ、１１１Ａ…ＵＳＢコントローラ、１１２…無線ＬＡＮコントローラ、１１３…ＥＣ、１１４…ＥＥＰＲＯＭ、１２１…電源回路、１２２…バッテリ、１２３…ＡＣアダプタ、２０５…加速度センサ、２１…ＯＳ、２２…ロックユーティリティプログラム、３１…ロック制御部、３２…ロック画面作成部、４１…ロック解除画面、４２…ロック解除パターン、４３…時刻表示、５１…ロック解除画面、５２…ロック解除パターン、５３…時刻表示、５４…ロック解除画面、５５…ロック解除パターン、５６…時刻表示、６１…ロック解除画面、６２…ロック解除パターン、６３…時刻表示、６４…ロック解除画面、６５…ロック解除パターン、６６…時刻表示、６７…ロック解除画面、６８…ロック解除パターン、６９…時刻表示、７１…ロック解除画面、７２…ロック解除パターン、７３…時刻表示、７４…ロック解除画面、７５…ロック解除パターン、７６…時刻表示、７７…ロック解除画面、７８…ロック解除パターン、７９…時刻表示、８１…ロック解除画面、８２…ロック解除ピクチャ、８３…時刻表示、８４…ロック解除画面、８５…ロック解除ピクチャ、８６…時刻表示。
【図１】
2014071772.tif 000003
【図２】
2014071772.tif 000004
【図３】
2014071772.tif 000005
【図４】
2014071772.tif 000006
【図５】
2014071772.tif 000007
【図６】
2014071772.tif 000008
【図７】
2014071772.tif 000009
【図８】
2014071772.tif 000010
【図９】
2014071772.tif 000011
【図１０】
2014071772.tif 000012